【事件の表示】
　特願２０１７−５２１２１４「ビーム・シェーパー及び減衰方法」拒絶査定不服審判事件〔平成２８年　４月２８日国際公開、ＷＯ２０１６／０６２５０４、平成３０年　１月１１日国内公表、特表２０１８−５０００５６、請求項の数（１２）〕について、次のとおり審決する。
【結　論】
　原査定を取り消す。
　本願の発明は、特許すべきものとする。
【理　由】
第１　手続の経緯
　本願は、２０１５年（平成２７年）９月３０日（パリ条約による優先権主張　２０１４年１０月２１日　 欧州特許庁）を国際出願日とする出願であって、令和元年７月４日付けで拒絶理由が通知され、令和２年１月７日付けで意見書及び手続補正書が提出され、同年４月１日付けで拒絶査定（原査定）されたところ、同年８月１３日に拒絶査定不服審判の請求がなされ、それと同時に誤訳訂正書が提出されたものである。その後、当審において同年１１月２５日付けで拒絶理由（以下、「当審拒絶理由」という。）が通知され、令和３年２月２６日付けで意見書及び手続補正書が提出されたものである。
第２　原査定の概要
　原査定の概要は次のとおりである。
　本願の請求項１−１３に係る発明は、その優先権主張の日前に頒布された又は電気通信回線を通じて公衆に利用可能となった下記の引用文献Ａに記載された発明、及び、引用文献Ｂ−Ｅに記載された事項に基づいて、その優先日前にその発明の属する技術の分野における通常の知識を有する者（以下、「当業者」という。）が容易に発明をすることができたものであるから、特許法第２９条第２項の規定により特許を受けることができない。
＜引用文献等一覧＞
Ａ．特開昭６１−１４２４９５号公報
Ｂ．実願昭６３−１１３５５１号（実開平２−３５１００号）のマイクロフィルム
Ｃ．独国特許出願公開第１０２０１２２２３７４８号明細書
Ｄ．米国特許出願公開第２０１４／０２９４１３９号明細書
Ｅ．特開２０１４−６９０３９号公報
第３　当審拒絶理由の概要
　当審拒絶理由の概要は次のとおりである。
１　本願発明は、ビーム・シェーパーが放射線源とともに対象の周りを回転する３Ｄイメージング・システムにおいて「液体の漏洩が装置又はパーツの電子回路又は機構に深刻なダメージを及ぼす」という課題を解決するために、ビーム・シェーパーとしてそのハウジングに放射線吸収ガスが充填されるものを用いるものであるところ、請求項１−１１，１３に係る発明には、その前提となる「ビーム・シェーパーが回転する」という構成を示す記載が認められないことから、請求項１−１１，１３に係る発明については、本願発明の上記課題を解決できると認識できる範囲のものとはいえない。
　よって、請求項１−１１，１３に係る発明は、発明の詳細な説明に記載したものでない。
　そのため、本願の請求項１−１１，１３の記載は、特許法第３６条第６項第１号に規定する要件を満たしていない。
２　本願の請求項１−２，４−１１，１３に係る発明は、その優先権主張の日前に頒布された又は電気通信回線を通じて公衆に利用可能となった下記の引用文献１に記載された発明、及び、引用文献２−５に記載された事項に基づいて、その優先日前に当業者が容易に発明をすることができたものであるから、特許法第２９条第２項の規定により特許を受けることができない。
＜引用文献等一覧＞
１．実願昭６３−１１３５５１号（実開平２−０３５１００号）のマイクロフィルム（拒絶査定における引用文献Ｂ）
２．特開平１０−１９２２６７号公報
３．特開２００５−０００２９７号公報
４．米国特許出願公開第２０１４／０２９４１３９号明細書（拒絶査定における引用文献Ｄ）
５．特開２０１４−６９０３９号公報（拒絶査定における引用文献Ｅ）
第４　本願発明
　本願請求項１〜１２に係る発明（以下、それぞれ「本願発明１」〜「本願発明１２」という。）は、令和３年２月２６日付けの手続補正で補正された特許請求の範囲の請求項１〜１２に記載された事項により特定される発明であり、そのうち独立項のみを記載すると、以下のとおりの発明である（下線は補正箇所を示す。）。
「　【請求項１】
　３Ｄイメージング・システムのための動的なビーム・シェーパーであって：
　可撓性のハウジングを有する中空のビーム・シェーパー・ボディであって、前記可撓性のハウジングが中空を有し、放射線ビームの放射を減衰させる放射線吸収ガスが該可撓性のハウジング内に充填される、中空のビーム・シェーパー・ボディ；
　前記中空のビーム・シェーパー・ボディに圧力を誘発するように構成される圧力誘発手段；
　を有し、前記ビーム・シェーパー・ボディの減衰プロファイルは、３Ｄイメージング中、誘発される前記圧力に応じて動的に適応可能であり、前記減衰プロファイルは前記ビーム・シェーパー・ボディの中で前記ビーム・シェーパー・ボディの長さ方向において局所的に変化
し、
　
前記中空のビーム・シェーパー・ボディに誘発される圧力は、検査領域に対する放射線源の位置に基づいて決定される、
　【請求項７】
　３Ｄイメージング・システムのための動的なビーム・シェーパーにより放射線ビームを減衰させる方法であって、前記動的なビーム・シェーパーは、可撓性のハウジングを有する中空のビーム・シェーパー・ボディ
を有し
、
　前記中空のビーム・シェーパー・ボディに圧力を誘発するステップを有し、
　前記ビーム・シェーパー・ボディの減衰プロファイルは、３Ｄイメージング中、誘発される前記圧力に応じて動的に適応可能であり、前記減衰プロファイルは前記ビーム・シェーパー・ボディの中で前記ビーム・シェーパー・ボディの長さ方向において局所的に変化
し、
　
前記中空のビーム・シェーパー・ボディに誘発される圧力は、検査領域に対する放射線源の位置に基づいて決定される、
　
　本願発明２〜６及び１２は、本願発明１を直接又は間接的に引用し、本願発明１をさらに減縮した発明であり、本願発明８〜１１は、本願発明７を直接又は間接的に引用し、本願発明７をさらに減縮した発明である。
第５　引用文献、引用発明等
１　引用文献１
（１）当審拒絶理由に引用された引用文献１（原査定に引用された引用文献Ｂ）には、図面とともに次の事項が記載されている（下線は当審にて付した。）。
（引１ａ）
（明細書第１頁第４−１０行）
「２、実用新案登録請求の範囲
　
対向壁の少なくとも一方が弾性膜で形成された密閉容器と、
　
この密閉容器内に充填されるＸ線吸収媒体と、
　
このＸ線吸収媒体の前記密閉容器内圧力を制御する手段とを備えた
Ｘ線用補償フィルタ
（引１ｂ）
（明細書第１頁第１２−１６行）
「〔産業上の利用分野〕
　
本考案は、Ｘ線により被写体を撮像する場合、被写体像に生じるハレーションを防止するＸ線用補償フィルタに関し、
（引１ｃ）
（明細書第２頁第１０行−第３頁第８行）
「一般に被写体（人体）の断面形状は円または楕円であるので、被写体の周辺部に至る程、Ｘ線の通過する実効厚さが小さく、且つ周辺部での直接Ｘ線の入射が避けられないことから、Ｘ線検出手段５５で検出されたＸ線画像にハレーションが発生する。このハレーションが生じると、Ｘ線画像が不鮮明となる、特に被写体周辺部の正確な画像情報が得られないことになる。
　そこで、このようなハレーションを防止するために、従来からコリメータ５２と被写体である頭部５４との間にＸ線透過性を有する基板５６を設けこの基板５６上に粘土を盛りつけしたり、あるいは種々の厚さのアクリル板を設置して頭部５４の周辺近傍の直接Ｘ線のレベルを低下させている。
　〔考案が解決しようとする課題〕
　しかしながら、被写体周辺近傍の直接Ｘ線のレベルを低下させるためのアクリル板の設置あるいは粘土の盛りつけは人手によって行わなければならず、多くの時間と手間を要する。」
・・・
（明細書第３頁第２０行−第４頁第５行）
「そこで本考案の目的は、上述の課題を解決するためになされたもので、遠隔操作によりＸ線の透過量の調整が短時間に行え、また作業者ならびに被写体の被曝の危険性がなく、さらにＸ線の透過量の微調整を容易に行うことのできるＸ線用補償フィルタを提供することにある。」
（引１ｄ）
（明細書第４頁第１４行−第７頁第５行）
「〔作用〕
　密閉容器はＸ線発生源と被写体との間に配設される。
制御手段はＸ線吸収媒体の密閉容器内圧力を制御する。このＸ線吸収媒体の充填量に応じて弾性膜が変形し、密閉容器のＸ線の照射方向の厚みを可変する。この際、弾性膜の作用で変形量が中心部と外周で異なる。その結果、密閉容器の中央部と周辺部のＸ線透過率が変化し、Ｘ線透過率はＸ線吸収媒体の密閉容器内圧力で調整できる
〔実施例〕
　以下実施例について説明する。第１図は本考案の一実施例であるＸ線用補償フィルタの構成図である。
被写体の周辺部のハレーションを防止するＸ線の強度分布調整手段１は剛性の断面凹形の有底収納体２とその上部開口部を閉塞する弾性膜３と上記２者で形成された密閉容器内部に収納されるＸ線吸収媒体３を含む。
　第１図において、
収納体２はＸ線透過性材料で構成され周壁２ａと周壁２ａの下端部を塞ぐ底部２ｂを有しており周壁上部には弾性を有する材料、たとえばゴムなどからなる薄い弾性膜４の外周部が気密に固定される。
　
収納体２と弾性膜４によって形成される密閉空間に充填されるＸ線吸収媒体３は、たとえばキセノン（Ｘｅ）ガスあるいは水、造影剤などのＸ線を吸収する流動性を有する物質
　
制御手段８によってＸ線吸収媒体３が吸引されると、弾性膜４は底部２ｂ側に図中点線で示す弾性膜４’のように弯曲し、収納体２の外周部における弾性膜４’と底部２ｂとの距離ｄ１は中心部における弾性膜４’と底部２ｂとの距離ｄ２より厚くなり、Ｘ線が第１図の上部から下部に向かって照射されるとすると、収納体２の外周部を通過するＸ線は収納体２の中心部を通過するＸ線より多くＸ線吸収媒体３によって吸収されることになる。したがって、弾性膜４’と底部２ｂとの距離ｄ１，ｄ２を制御手段８により調整することにより、被写体像の周辺部に生じるハレーションを防止することができる。
（引１ｅ）
（明細書第７頁第６−１９行）
「第２図は本考案の一実施例であるＸ線用補償フィルタを用いるＸ線撮像装置の構成図である。Ｘ線発生源１１で発生したＸ線はコリメータ１２によってＸ線を目的とする照射領域に制限する。Ｘ線を良好に通過するベッド１３上に横たわる人体の頭部１４にＸ線の強度分布調整手段１を透過したＸ線が照射される。頭部１４を透過したＸ線はイメージ増強管１５の変換面１６ａ上に結像し、その輝度はイメージ増強管１５によって増強された後、けい光面１６ｂにおいて可視像に変換される。けい光面１６ｂに結像した可視像はカメラ１７によって撮像され、その影像信号はＣＲＴなどの表示装置１８に送出され、頭部１４のＸ線透過像が表示される。」
（引１ｆ）
（明細書第９頁第１２−１５行）
「また実施例では、密閉容器を構成する壁の一方を弾性膜で形成したが、
Ｘ線吸収媒体としてのガス体を使用する場合は、Ｘ線照射方向の対向壁双方を弾性膜で形成してもよい。
（引１ｇ）
第１図
第２図
（２）引用発明１
ア　上記（引１ｇ）の第２図について、（引１ｅ）の「ベッド１３上に横たわる人体」という記載から、第２図の図面上側及び下側が、それぞれ鉛直方向という意味での上側及び下側に対応するといえる。そうすると、（引１ｅ）に記載の「Ｘ線撮像装置」は、「人体」の上方に「Ｘ線発生源１１」を、下方に「イメージ増強管１５」及び「カメラ１７」を有するといえる。
イ　上記（１）及び「ア」を踏まえると、引用文献１には、以下の発明（以下「引用発明１」という。）が記載されていると認められる。
「Ｘ線撮像装置に用いるＸ線用補償フィルタであって、
　Ｘ線撮像装置は、人体の上方にＸ線発生源１１を、人体の下方にイメージ増強管１５及びカメラ１７を有し、Ｘ線発生源１１で発生したＸ線は人体を透過してイメージ増強管１５のけい光面１６ｂにおいて可視像に変換され、カメラ１７が可視像を撮像し、
　Ｘ線用補償フィルタは、
　Ｘ線照射方向の対向壁双方が弾性膜で形成された密閉容器と、
　この密閉容器内に充填されるキセノンガスであるＸ線吸収媒体と、
　このＸ線吸収媒体の前記密閉容器内圧力を制御する制御手段とを備え、
　制御手段がＸ線吸収媒体の密閉容器内圧力を制御して、密閉容器のＸ線照射方向の厚みを可変とし、密閉容器の中央部と外周とで厚みを異ならせることで中央部と周辺部のＸ線透過率を変化させ、Ｘ線透過率を調整する、Ｘ線用補償フィルタ。」
２　引用文献２
　当審拒絶理由に引用された引用文献２には、以下の事項が記載されている（下線は当審にて付した。）。
「【０００３】また、前述するＸ線回転撮影装置を計測系として有し、画像処理系として３次元画像再構成手段を有するコーンビームＣＴ装置があった。この装置は、
撮影した一連の２次元Ｘ線透過像から被検体内部のＸ線吸収係数の３次元分布を画像化することが可能である。
【０００４】このほかには、１次元Ｘ線検出器または複数台の１次元検出器からなる検出器配列を有し、一度に１枚または複数枚のＸ線断層像を計測するＸ線ＣＴ装置があった。しかしながら、このＸ線ＣＴ装置では、Ｘ線吸収係数の３次元分布を画像化するためには繰り返し計測が必要であった。これに対して、
コーンビームＣＴ装置は、多数枚のＸ線断層像を再構成するための２次元Ｘ線透過像を一度に収集できるので、より短時間で３次元画像を撮影することができるという特徴がある。
・・・
【０２３３】
本発明が関わるＸ線回転撮影は、
被検体が回転テーブルの上に配置され、Ｘ線管とＸ線画像計測系は回転テーブルをはさんで対向し、計測時には、Ｘ線管とＸ線画像計測系は静止状態のまま、被検体を載せた回転テーブルが回転しながら、あるいは、ステップ状に回転と静止を繰り返しながら計測する系にも適用可能である。
３　引用文献３
　当審拒絶理由に引用された引用文献３には、以下の事項が記載されている（下線は当審にて付した。）。
「【０００２】
【従来の技術】
従来、
被検体に対してＸ線を曝射し、該被検体を透過或いは被検体で散乱したＸ線をＸ線検出器で検出し、このＸ線検出器の出力（Ｘ線の光子数）に基づいて被検体の透視画像、断層画像或いは三次元画像を撮像するＸ線ＣＴ装置
・・・
【０００９】
他方、レトロフィットＣＴというアイデアがある。これは、従来の一般撮影用Ｘ線装置に、ＦＰＤと回転テーブルを取り付け、
回転テーブル上に被検体を設置し、回転テーブルにより被検体を回転させながら撮影を行う
４　引用文献２−３の記載事項
　上記引用文献２−３の記載から、「被検体の３次元撮影を行うＸ線ＣＴ装置において、被検体を回転させながら撮影を行う」ことは、本願の優先日前に周知の技術であったと認められる。
５　引用文献４
　当審拒絶理由に引用された引用文献４（原査定に引用された引用文献Ｄ）には、以下の事項が記載されている（記載事項の認定に関係する部分の当審訳に下線を付した。）。
「[0002] The present invention is in the field of X-ray imaging. The present invention is also in the field of X-ray filters for computed tomography X-ray imaging. 
・・・
[0034] In one embodiment of the present invention, an adaptive X-ray filter can comprise a rotating element positioned in the X-ray beam path, wherein rotation of the element around an internal axis can alter the amount and spatial pattern of attenuation of the X-ray beam.・・・
・・・
[0039] Filter 50 can be rotated in sync with gantry rotation, e.g., with rotation of X-ray source 100 and X-ray detector 102 around the imaging subject.」
（当審訳）「[0002] 本発明は、X線イメージングの分野である。
本発明は、コンピュータトモグラフィX線撮像法のためのX線フィルタの分野でもある。
・・・
[0034] 本発明の1つの実施形態において、
適応型X線フィルタは、X線ビーム経路に配置された回転要素を含むことができ、回転要素の内部の軸周りの回転は、X線ビームの減衰の量および空間的パターンを変化させることができる。
・・・
[0039] 
フィルタ50は、ガントリーの回転、例えば、撮像対象の周囲のX線源100及びX線検出器102の回転、と同期して回転することができる。
６　引用文献５
　当審拒絶理由に引用された引用文献５（原査定に引用された引用文献Ｅ）には、以下の事項が記載されている（下線は当審にて付した。）。
「【００３９】
　
ＣＴ撮像においてＣＴ用架台制御部１６は、
ＣＴ用データ収集部１９を制御してＣＴ用生データをビュー毎に収集する。
前処理部５２は、
ビュー毎のＣＴ用投影データを生成し、画像再構成部５３は、複数のビューに関するＣＴ用投影データに基づいてＣＴ画像のデータを発生する。
・・・
【００４３】
　ステップＳＡ３が行われるとシステム制御部５１は、フィルタ形状計算部５４にフィルタ形状の計算処理を実行させる（ステップＳＡ４）。ステップＳＡ４において
フィルタ形状計算部５４は、ビュー毎の吸収線量分布から、ＰＣＣＴ撮像で使用するフレキシブルウェッジフィルタ３８の材質を利用してビュー毎のフレキシブルウェッジフィルタ形状を計算する。
・・・
【００４７】
　ＰＣＣＴ撮像の開始指示が入力されたことを契機としてシステム制御部５１は、ＰＣＣＴ架台５内のＰＣＣＴ用架台制御部３６を制御して被検体Ｐに対してＰＣＣＴ撮像を行う（ステップＳＡ６）。ステップＳＡ６においてＰＣＣＴ用架台制御部３６は、回転駆動部３５を制御して回転フレーム３１を回転させ、高電圧発生部３７を制御してＸ線管３２からＸ線を発生し、ＰＣＣＴ用データ収集部４２を制御して複数のエネルギー・ビンに関するカウントデータをビュー毎に収集する。
この際、ＰＣＣＴ用架台制御部３６は、フレキシブルウェッジフィルタ形状データに従って複数のフィルタモジュール３９が配置されるように、ビュー毎にモジュール駆動部４１を制御する。モジュール駆動部４１は、ＰＣＣＴ用架台制御部３６からの制御に従って、複数のフィルタモジュール３９の各々について２つの楔フィルタ３９１をスライドし、フレキシブルウェッジフィルタ形状に応じた配置まで複数の楔フィルタ３９１を移動する。これにより、Ｘ線検出器３３への入射線量がチャンネル方向に略均一に分布される。
７　引用文献４−５の記載事項
（１）引用文献４には「フィルタ50は、ガントリーの回転、例えば、撮像対象の周囲のX線源100及びX線検出器102の回転、と同期して回転することができる。」と記載されているところ、X線源100の回転によりX線の照射方向と被検体の向きのなす角度が変化するのであるから、引用文献４は、「フィルタ50」がX線の照射方向と被検体の向きのなす角度に応じて「回転することができる」ことが記載されているといえる。
（２）引用文献５には「ビュー毎に」「複数のフィルタモジュール３９の各々について・・・フレキシブルウェッジフィルタ形状に応じた配置まで複数の楔フィルタ３９１を移動する」と記載されているところ、ビューが異なるということはＸ線の照射方向と被検体の向きのなす角度が変化するのであるから、引用文献５は、「フィルタモジュール３９」がX線の照射方向と被検体の向きのなす角度に応じて変化することが記載されているといえる。
（３）上記（１）、（２）を踏まえると、上記引用文献４−５の記載から、「Ｘ線ＣＴ装置のＸ線フィルタにおいて、Ｘ線の照射方向と被検体の向きのなす角度に応じてＸ線フィルタを変化させる」ことは、本願の優先日前に周知の技術であったと認められる。
８　引用文献Ａ
（１）原査定に引用された引用文献Ａには、図面とともに次の事項が記載されている（下線は当審にて付した。）。
（引Ａａ）
（第１頁左下欄第１４−１８行）
「（産業上の利用分野）
本発明はＸ線ＣＴ装置のＸ線吸収フィルターに関し、
（引Ａｂ）
（第２頁左上欄第９−１９行）
「（考案が解決しようとする問題点）
　しかしながら、患者の撮影領域の撮影サイズは患者によって興なり、専用化された２種類のＸ線吸収フィルターでは透過Ｘ線強度のダイナミックレンジを充分に軽減できず、更にはＸ線吸収フィルターの切換えのためのモータを含む機械的に複雑な駆動機構を要する等の問題があった。
　
本発明はこのような点に鑑みてなされたもので、その目的は、１種類の形状で、アナログ的に透過Ｘ線強度のダイナミックレンジが変化し得るＸ線吸収フィルターを提供すること
（引Ａｃ）
（第２頁右上欄第９行−右下欄第１３行）
「（実施例）
　以下、図面を用いて本発明の実施例を詳細に説明する。
　第１図（イ）は本発明のＸ線吸収フィルターの一実施例を示す要部構成図、第１図（ロ）は（イ）のフィルターのＡ−Ａ’断面図である。この図において、１０は患者を円筒状の水とみなした時のファンビームアングル方向奥行の逆投影に近い、従来のフィルターと相似形のＸ線吸収フィルターである。この
Ｘ線吸収フィルター１０は、その上下部１３，１４がＸ線透過率の良いアルミニウム合金、ベリリウム材等で作られ、その側板１１，１２はＸ線を透過しない鏡板で形成された中空耐圧容器である。
２０はＸ線吸収フィルターに入れるＸ線透過率の良いＸｅガスが入ったタンクで、このＸｅガスはパイプ３０及びポンプ４０を経由してＸ線吸収フィルター１０内に封入される。
　
Ｘ線吸収フィルター１０の下面は、患者標準体形の腹部に合せたゆるやかなカーブになっている。このようなＸ線吸収フィルター１０内にガス圧約４ｋｇ／ｃｍ２となるようにポンプ４０でＸｅガスを封入する。ガス圧はポンプ４０で任意に変えることができる。
　この時のＸ線吸収率は次式で表わせる。
　Ｉ／Ｉ０＝ｅ−μρｌＰ
　ここで、Ｉ０はＸ線入射強度、ＩはＸ線透過強度、μはＸ線吸収係数、ρはガスの比重、ｌはガス中の奥行の長さ、Ｐはガス圧を示し、μ及びρは封入ガスによる固有の定数である。
　あるファンビームアングルθにおける患者腹部用と頭部用では、前者に比べ後者のＸ線吸収量を大きくする必要がある。従来のフィルターでは頭部用及び腹部用を両方用意し、それらを機械的に切換えることにより２段階で、Ｘ線吸収量を変化させていたが、
本発明では、ガス圧Ｐを変えることでＸ線吸収量を変化させる。又、本発明ではガス圧を任意に調整できるため、患者体形に合せて細かい設定が可能である。
　今、Ｘ線吸収フィルター１０の腹部用ガス圧Ｐを約４ｋｇ／ｃｍ２とすれば、頭部用は約９ｋｇ／ｃｍ２で達成できることになり、適切なＸ線吸収量を得るＸ線吸収フィルターが可能となる。」
（引Ａｄ）
第１図
（２）引用発明Ａ
　上記（１）から、引用文献Ａには、以下の発明（以下「引用発明Ａ」という。）が記載されていると認められる。
「Ｘ線ＣＴ装置のＸ線吸収フィルター１０であって、
　その上下部１３，１４はＸ線透過率の良いアルミニウム合金、ベリリウム材等で作られ、その側板１１，１２はＸ線を透過しない鏡板で形成された中空耐圧容器であり、
　Ｘ線吸収フィルター１０の下面は、患者標準体形の腹部に合せたゆるやかなカーブになっており、
　Ｘ線吸収フィルター１０内のガス圧Ｐを変えることでＸ線吸収量を変化させ、ガス圧はポンプ４０で任意に変えることができる、
　Ｘ線吸収フィルター。」
９　引用文献Ｃ
（１）原査定に引用された引用文献Ｃには、図面とともに以下の事項が記載されている（なお、「a」、「o」、「u」のウムラウトはそれぞれ「ae」、「oe」、「ue」、エスツェットは「ss」と表記した。また、記載事項の認定に関係する部分の当審訳に下線を付した。）。
（引Ｃａ）
「[0033] Fig.6 zeigt eine perspektivische Ansicht eines adaptiven Bow-Tie-Roentgenfilters mit einem flexiblen Kissen in symmetrischer Ausfuehrungsform. Ein Bow-Tie-Roentgenfilter 9 umfasst ein mit einer roentgenstrahlenabsorbierenden Fluessigkeit fuellbares Kissen 13, das in ein starres Gehaeuse 16 eingebettet ist, von dem in Fig. 6 nur die Seitenwaende dargestellt sind. Ueber einen feststehenden ersten 14 und einen feststehenden zweiten Mittelsteg 19 ist die Schichtdicke der Fluessigkeit und damit die Absorptionslaenge in der Mitte des Kissens 13 festgelegt. Durch Erhoehung des Druckes auf die Fluessigkeit im Kissen 13 vergroessert sich das im Roentgenstrahlengang befindliche Volumen der roentgenstrahlenabsorbierenden Fluessigkeit. Dieser Effekt wird noch weiter dadurch verstaerkt, dass sich das Kissen 13 bei zunehmendem Druck sowohl nach oben, als auch nach unten ausdehnt. Zur gezielten Definition der oberen und unteren Begrenzungsflaeche des Kissens 13 werden eine flexible erste 18 und eine flexible zweite Platte 20 eingesetzt.」
（当審訳）
「[0033] 図6は、対称的な実施形態の柔軟なパッドを有する適応性のあるボウタイX線フィルタの斜視図である。
ボウタイX線フィルタ9は、X線吸収液体で充填可能なパッド13を含み、
パッド13内の液体に圧力を加えることによって、X線ビーム路内のX線吸収液体の体積が増加する。この効果は、クッション13が、圧力が上昇するにつれて上方にも下方にも膨張することによってさらに強化される。
（引Ｃｂ）
図６
（２）上記（１）から、引用文献Ｃには「X線吸収液体で充填可能なパッド13を含み、パッド13内の液体に圧力を加えることによって、X線ビーム路内のX線吸収液体の体積が増加する、ボウタイX線フィルタ9」という技術的事項が記載されているといえる。
第６　対比・判断
１　本願発明１について
（１）引用発明１に基づく場合
ア　対比
（ア）引用発明１の「Ｘ線用補償フィルタ」は、「密閉容器」を透過するＸ線透過率を調整可能なものであるから、本願発明１の「ビーム・シェーパー」に相当する。
　また、引用発明１の「Ｘ線用補償フィルタ」はＸ線撮像に用いるものであり、本願発明１の「３Ｄイメージング・システム」は、本願明細書の【０００２】に「X線コンピュータ断層撮影又は3D介入x線イメージング等のような3D放射線イメージング」と記載されているように、Ｘ線コンピュータ断層撮影等のＸ線撮像を行うシステムであるから、引用発明１の「Ｘ線用補償フィルタ」と本願発明１の「３Ｄイメージング・システム」は、Ｘ線撮像のためのものであるという点で共通する。
（イ）引用発明１の「密閉容器」は、その「対向壁双方」が「弾性膜」で形成されているから、「可撓性のハウジングを有する」といえる。また、引用発明１の「密閉容器」は、その内にキセノンガスが充填されるものであるから、「中空」であるといえる。
　そうすると、引用発明１の「密閉容器」は、本願発明１の「可撓性のハウジングを有する中空のビーム・シェーパー・ボディ」に相当する。
（ウ）引用発明１の「キセノンガスであるＸ線吸収媒体」は、それぞれ本願発明１の「放射線ビームの放射を減衰させる放射線吸収ガス」に相当する。
（エ）引用発明１の「制御手段」は、「Ｘ線吸収媒体」の「記密閉容器内圧力を制御する」ものであるから、本願発明１の「圧力誘発手段」に相当する。
（オ）引用発明１の「密閉容器」の「Ｘ線透過率」は、本願発明１の「減衰プロファイル」に相当する。また、引用発明１の「密閉容器」は「Ｘ線透過率」が調整できるものであるということが、本願発明１の「ビーム・シェーパー・ボディの減衰プロファイル」は、誘発される前記圧力に応じて」「適応可能」であることに相当する。さらに、引用発明１において「密閉容器」は「中央部」と「外周」とで「厚みを異ならせる」ことができ、それにより「中央部」と「周辺部」とで「Ｘ線透過率」を変化させることができるということが、本願発明１の「減衰プロファイル」は「ビーム・シェーパー・ボディの中で前記ビーム・シェーパー・ボディの長さ方向において局所的に変化」することに相当する。
（カ）以上のことから、本願発明１と引用発明１との一致点及び相違点は次のとおりである。
　【一致点】
「Ｘ線撮像のためのビーム・シェーパーであって：
　可撓性のハウジングを有する中空のビーム・シェーパー・ボディであって、前記可撓性のハウジングが中空を有し、放射線ビームの放射を減衰させる放射線吸収ガスが該可撓性のハウジング内に充填される、中空のビーム・シェーパー・ボディ；
　前記中空のビーム・シェーパー・ボディに圧力を誘発するように構成される圧力誘発手段；
　を有し、前記ビーム・シェーパー・ボディの減衰プロファイルは、誘発される前記圧力に応じて適応可能であり、前記減衰プロファイルは前記ビーム・シェーパー・ボディの中で前記ビーム・シェーパー・ボディの長さ方向において局所的に変化する、ビーム・シェーパー。」
　【相違点１】
　本願発明１は「３Ｄイメージング・システムのための動的なビーム・シェーパー」であり、「ビーム・シェーパー・ボディの減衰プロファイルは、３Ｄイメージング中、誘発される前記圧力に応じて動的に適応可能」であるのに対し、引用発明１の「Ｘ線用補償フィルタ」は「３Ｄイメージング・システム」のための「動的な」ものではなく、その「Ｘ線透過率」は３Ｄイメージング中に動的に適応可能でもない点。
　【相違点２】
　本願発明１は、「中空のビーム・シェーパー・ボディに誘発される圧力は、検査領域に対する放射線源の位置に基づいて決定される」ものであるのに対し、引用発明１の「密閉容器」の「密閉容器内圧力」は、「検査領域に対する放射線源の位置に基づいて決定される」ものではない点。
イ　判断
　事案に鑑み相違点２について判断する。
　引用発明１は、（引１ｅ）及び（引１ｇ）の第２図に記されているように、Ｘ線発生源１１、コリメータ１２、強度分布調整手段１、イメージ増強管１５、カメラ１７を備えるＸ線撮像装置の位置が被写体（人体）に対して固定されているものである。すなわち、引用発明１において被写体に対するＸ線発生源１１の位置は不変である。
　そうすると、「密閉容器」の「密閉容器内圧力」、すなわち「Ｘ線用補償フィルタ」の「Ｘ線透過率」の変化の程度を、被写体に対するＸ線発生源１１の位置に基づいて決定することは、当該位置が不変である以上、そのような決定を行う必要がなく、引用文献２−５、引用文献Ａ，Ｃに記載された技術的事項を考慮しても当業者が容易に想到しうることとはいえない。
ウ　小括
　したがって、本願発明１は、当業者であっても、引用発明１、及び引用文献２−５、引用文献Ａ，Ｃに記載された技術的事項に基づいて容易に発明できたものとはいえない。
（２）引用発明Ａに基づく場合
　本願発明１と引用発明Ａとは、少なくとも、本願発明１の「中空のビーム・シェーパー・ボディ」の「ハウジング」が「可撓性」であるのに対し、引用発明Ａの「中空耐圧容器」（本願発明１の「ハウジング」に相当する。）はその「上下部１３，１４」が「Ｘ線透過率の良いアルミニウム合金、ベリリウム材等」で作られ、その「側板１１，１２」が「Ｘ線を透過しない鏡板」で形成されており、可撓性を有しないという点で相違する。
　ここで、本願発明１の「ハウジング」が「可撓性」であるのは、本願の発明の詳細な説明の【００１４】に「減衰ガスで充填されたフレキシブルなハウジングは、異なる形状に操作され、ビーム・シェーパー・ボディを通り且つ放射線ビームの減衰に影響を及ぼす様々な経路長を可能にする。」と記載されているように、「ハウジング」を圧力に応じて異なる形状に操作することを可能とするためといえる。
　そして、引用発明Ａは上記（引Ａｂ）に記載されているように、１種類の形状で透過Ｘ線強度のダイナミックレンジが変化し得るＸ線吸収フィルターを提供することを目的とするところ、「中空耐圧容器」を可撓性として異なる形状に操作できるようにすることは、引用発明Ａの目的に鑑みれば当業者が容易に想到しうることとはいえない。
　よって、他の相違点について判断するまでもなく、本願発明１は、当業者であっても引用発明Ａ及び引用文献１−５，Ｃに記載された技術的事項に基づいて容易に発明できたものであるとはいえない。
（３）まとめ
　本願発明１は、当業者であっても、引用発明１、及び引用文献２−５、引用文献Ａ，Ｃに記載された技術的事項に基づいて容易に発明できたものとはいえず、また、引用発明Ａ及び引用文献１−５，Ｃに記載された技術的事項に基づいて容易に発明できたものともいえない。
２　本願発明２−６，１２について
　上記第４で述べたとおり、本願発明２−６，１２は、本願発明１を減縮した発明であるから、本願発明１と同じ理由により、当業者であっても、引用発明１、及び引用文献２−５、引用文献Ａ，Ｃに記載された技術的事項に基づいて容易に発明できたものとはいえず、引用発明Ａ及び引用文献１−５，Ｃに記載された技術的事項に基づいて容易に発明できたものともいえない。
３　本願発明７について
　本願発明７は、本願発明１に対応する方法の発明であるから、本願発明１の構成に対応する構成を備えるものであるから、本願発明１と同様の理由により、当業者であっても、引用発明１、及び引用文献２−５、引用文献Ａ，Ｃに記載された技術的事項に基づいて容易に発明できたものとはいえず、引用発明Ａ及び引用文献１−５，Ｃに記載された技術的事項に基づいて容易に発明できたものともいえない。
４　本願発明８−１１について
　上記第４で述べたとおり、本願発明８−１１は、本願発明７を減縮した発明であるから、本願発明７と同じ理由により、当業者であっても、引用発明１、及び引用文献２−５、引用文献Ａ，Ｃに記載された技術的事項に基づいて容易に発明できたものとはいえず、引用発明Ａ及び引用文献１−５，Ｃに記載された技術的事項に基づいて容易に発明できたものともいえない。
第７　原査定についての判断
　上記「第６」「１」（２）、及び「第６」「２」〜「４」にて述べたように、本願発明１−１２は、当業者であっても、原査定における引用文献Ａ、引用文献Ｃ、及び引用文献Ｂ，Ｄ，Ｅ（当審拒絶理由における引用文献１，４，５）に基づいて容易に発明できたものではない。
したがって、原査定を維持することはできない。
第８　当審拒絶理由についての判断
１　特許法第３６条第６項第１号について
　当審では、本願発明は、ビーム・シェーパーが放射線源とともに対象の周りを回転する３Ｄイメージング・システムにおいて「液体の漏洩が装置又はパーツの電子回路又は機構に深刻なダメージを及ぼす」という課題を解決するために、ビーム・シェーパーとしてそのハウジングに放射線吸収ガスが充填されるものを用いるものであるところ、請求項１−１１，１３に係る発明には、その前提となる「ビーム・シェーパーが回転する」という構成を示す記載が認められないことから、請求項１−１１，１３に係る発明については、本願発明の上記課題を解決できると認識できる範囲のものとはいえない、との拒絶の理由を通知しているが、令和３年２月２６日付け手続補正書による手続補正により、当該拒絶の理由が通知されていない補正前の請求項１２の「中空のビーム・シェーパー・ボディに誘発される圧力は、検査領域に対する放射線源の位置に基づいて決定される」という構成が、補正後の本願発明１−１２において特定された結果、この拒絶の理由は解消した。
２　特許法第２９条第２項について
　上記「第６」「１」（１）「イ」、及び「第６」「２」〜「４」にて述べたように、本願発明１−１２は、当業者であっても、当審拒絶理由における引用文献１−５に基づいて容易に発明できたものではない。
第９　むすび
　以上のとおり、原査定の理由及び当審の理由によっては、本願を拒絶することはできない。
　また、他に本願を拒絶すべき理由を発見しない。
　よって、結論のとおり審決する。